【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
記録媒体に第１のインク及び第２のインクを付与するインク付与工程を有するインクジェット画像記録方法であって、
前記第１のインク及び前記第２のインクが何れも、下記一般式（１）で表される界面活性剤を含有し、
前記第１のインク全質量に対する、前記一般式（１）で表される界面活性剤の含有量Ｖ１（質量％）が、前記第２のインク全質量に対する、前記一般式（１）で表される界面活性剤の含有量Ｖ２（質量％）より大きく、
前記第１のインクから前記一般式（１）で表される界面活性剤を除いた液体Ｘと、前記第２のインクから前記一般式（１）で表される界面活性剤を除いた液体Ｙが、以下の条件１を満たし、かつ、
前記液体Ｘ及びＹにそれぞれ、前記一般式（１）で表される界面活性剤を、添加後の液体全質量に対する含有量が前記Ｖ２（質量％）となるように添加した液体Ｘ’及び液体Ｙ’とが、以下の条件２を満足することを特徴とするインクジェット画像記録方法。
一般式（１）
Ｒ１（ＣＲ２Ｒ３）ｎＣＨ２ＣＨ２（ＯＣＨ２ＣＨ２）ｍＯＨ
（一般式（１）において、Ｒ１はフッ素原子又は水素原子であり、Ｒ２及びＲ３はそれぞれ独立にフッ素原子又は水素原子であり、Ｒ２及びＲ３のうち少なくとも何れかはフッ素原子である。ｎは１以上３０以下であり、ｍは１以上６０以下である。）
（条件１）
液体Ｘの記録領域と液体Ｙの記録領域とが互いに接触するように、水に対する吸収係数Ｋａが、０．１ｍＬ・ｍ−２・ｍｓ−１／２以上０．３ｍＬ・ｍ−２・ｍｓ−１／２以下である記録媒体に記録した際に、液体Ｘの記録領域から液体Ｘが液体Ｙの記録領域に流れ込む。
（条件２）
液体Ｘ’の記録領域と液体Ｙ’の記録領域とが互いに接触するように、水に対する吸収係数Ｋａが、０．１ｍＬ・ｍ−２・ｍｓ−１／２以上０．３ｍＬ・ｍ−２・ｍｓ−１／２以下である記録媒体に記録した際に、液体Ｙ’の記録領域から液体Ｙ’が液体Ｘ’の記録領域に流れ込む。
【請求項２】
前記第１のインク及び前記第２のインクが、水溶性有機溶剤を含有し、
前記第１のインク及び前記第２のインクにおける前記水溶性有機溶剤の含有量が、インク全質量を基準として、それぞれ３０質量％以上である請求項１に記載のインクジェット画像記録方法。
【請求項３】
更に、前記インクが付与された記録媒体を加熱する加熱工程を有する請求項１又は２に記載のインクジェット画像記録方法。
【請求項４】
前記加熱工程において、前記インクが付与された記録媒体の表面温度が７０℃以上となるように加熱する請求項３に記載のインクジェット画像記録方法。
【請求項５】
更に、前記記録媒体を搬送する搬送工程を含み、前記搬送工程における、前記記録媒体を搬送する速度が、５０ｍ／分以上である請求項１乃至４の何れか１項に記載のインクジェット画像記録方法。
【請求項６】
前記インク付与工程において、前記第１のインク及び前記第２のインクを付与する記録媒体の水に対する吸収係数Ｋａが、０．３ｍＬ／ｍ２・ｍｓ１／２以下である請求項１乃至５の何れか１項に記載のインクジェット画像記録方法。
【請求項７】
前記第１のインク及び前記第２のインクはいずれも水性インクである請求項１乃至６の何れか１項に記載のインクジェット画像記録方法。
【請求項８】
前記Ｖ２が、前記第２のインクの全質量に対して、０．５質量％以上５．０質量％以下である請求項１乃至７の何れか１項に記載のインクジェット画像記録方法。
【請求項９】
前記第１のインクがシアンインク、マゼンタインクおよびイエローインクからなる群から選択されるいずれかのインクであり、前記第２のインクがブラックインクである請求項１乃至８の何れか１項に記載のインクジェット画像記録方法。
【請求項１０】
第１のインクと第２のインクとを含むインクセットであって、
前記第１のインク及び前記第２のインクが何れも、下記一般式（１）で表される界面活性剤を含有し、
前記第１のインク全質量に対する、前記一般式（１）で表される界面活性剤の含有量Ｖ１（質量％）が、前記第２のインク全質量に対する、前記一般式（１）で表される界面活性剤の含有量Ｖ２（質量％）より大きく、
前記第１のインクから前記一般式（１）で表される界面活性剤を除いた液体Ｘと、前記第２のインクから前記一般式（１）で表される界面活性剤を除いた液体Ｙが、以下の条件１を満たし、かつ、
前記液体Ｘ及びＹにそれぞれ、前記一般式（１）で表される界面活性剤を、添加後の液体全質量に対する含有量が前記Ｖ２（質量％）となるように添加した液体Ｘ’及び液体Ｙ’とが、以下の条件２を満足することを特徴とするインクセット。
一般式（１）
Ｒ１（ＣＲ２Ｒ３）ｎＣＨ２ＣＨ２（ＯＣＨ２ＣＨ２）ｍＯＨ
（一般式（１）において、Ｒ１はフッ素原子又は水素原子であり、Ｒ２及びＲ３はそれぞれ独立にフッ素原子又は水素原子であり、Ｒ２及びＲ３のうち少なくとも何れかはフッ素原子である。ｎは１以上３０以下であり、ｍは１以上６０以下である。）
（条件１）
液体Ｘの記録領域と液体Ｙの記録領域とが互いに接触するように、水に対する吸収係数Ｋａが、０．１ｍＬ・ｍ−２・ｍｓ−１／２以上０．３ｍＬ・ｍ−２・ｍｓ−１／２以下である記録媒体に記録した際に、液体Ｘの記録領域から液体Ｘが液体Ｙの記録領域に流れ込む。
（条件２）
液体Ｘ’の記録領域と液体Ｙ’の記録領域とが互いに接触するように、水に対する吸収係数Ｋａが、０．１ｍＬ・ｍ−２・ｍｓ−１／２以上０．３ｍＬ・ｍ−２・ｍｓ−１／２以下である記録媒体に記録した際に、液体Ｙ’の記録領域から液体Ｙ’が液体Ｘ’の記録領域に流れ込む。
【請求項１１】
前記第１のインク及び前記第２のインクはいずれも水性インクである請求項１０に記載のインクセット。
【請求項１２】
前記Ｖ２が、前記第２のインクの全質量に対して、０．５質量％以上５．０質量％以下である請求項１０又は１１の記載のインクセット。
【請求項１３】
前記第１のインクがシアンインク、マゼンタインクおよびイエローインクからなる群から選択されるいずれかのインクであり、前記第２のインクがブラックインクである請求項１０乃至１２の何れか１項に記載のインクセット。
【請求項１４】
液体Ａに、下記一般式（１）で表される界面活性剤を、添加後の液体全質量に対する含有量がＶＡ（質量％）となるように添加することで、第１のインクを調製する工程と、液体Ｂに、下記一般式（１）で表される界面活性剤を、添加後の液体全質量に対する含有量がＶＢ（質量％）となるように添加することで、第２のインクを調製する工程と、を有する第１のインクと第２のインクを含むインクセットの調製方法であって、
前記液体Ａ及び前記液体Ｂが、以下の条件１を満足し、
前記液体Ａ及び前記液体Ｂにそれぞれ、下記一般式（１）で表される界面活性剤を、添加後の液体全質量に対する含有量がＶ（質量％）となるように添加した液体Ａ’及び液体Ｂ’が、以下の条件２を満足するときに、
前記ＶＡ及び前記ＶＢが、
ＶＡ＞ＶＢ≧Ｖ
の関係を満足することを特徴とするインクセットの調製方法。
一般式（１）
Ｒ１（ＣＲ２Ｒ３）ｎＣＨ２ＣＨ２（ＯＣＨ２ＣＨ２）ｍＯＨ
（一般式（１）において、Ｒ１はフッ素原子又は水素原子であり、Ｒ２及びＲ３はそれぞれ独立にフッ素原子又は水素原子であり、Ｒ２及びＲ３のうち少なくとも何れかはフッ素原子である。ｎは１以上３０以下であり、ｍは１以上６０以下である。）
（条件１）
液体Ａの記録領域と液体Ｂの記録領域とが互いに接触するように、水に対する吸収係数Ｋａが、０．１ｍＬ／ｍ２・ｍｓ１／２以上０．３ｍＬ／ｍ２・ｍｓ１／２以下である記録媒体に記録した際に、液体Ａの記録領域から液体Ａが液体Ｂの記録領域に流れ込む。
（条件２）
液体Ａ’の記録領域と液体Ｂ’の記録領域とが互いに接触するように、水に対する吸収係数Ｋａが、０．１ｍＬ／ｍ２・ｍｓ１／２以上０．３ｍＬ／ｍ２・ｍｓ１／２以下である記録媒体に記録した際に、液体Ｂ’の記録領域から液体Ｂ’が液体Ａ’の記録領域に流れ込む。
【請求項１５】
前記第１のインク及び前記第２のインクはいずれも水性インクである請求項１４に記載のインクセットの調製方法。
【請求項１６】
前記Ｖ２が、前記第２のインクの全質量に対して、０．５質量％以上５．０質量％以下である請求項１４又は１５の記載のインクセットの調製方法。
【請求項１７】
前記第１のインクがシアンインク、マゼンタインクおよびイエローインクからなる群から選択されるいずれかのインクであり、前記第２のインクがブラックインクである請求項１４乃至１６の何れか１項に記載のインクセットの調製方法。
【手続補正２】
【補正対象書類名】明細書
【補正対象項目名】００６１
【補正方法】変更
【補正の内容】
【００６１】
また、本発明に係る第２のインクはブラックインクであり、本発明に係る第１のインクはシアンインク、マゼンタインクおよびイエローインクからなる群から選択されるいずれかのインクであることが好ましい。第１のインクおよび第２のインクがそれぞれ上記のインクであることで、ブリード現象による画像欠陥がより目立ちにくくさせることができるためである。